【手続補正書】
【提出日】平成17年2月2日(2005.2.2)
【手続補正１】
【補正対象書類名】明細書
【補正対象項目名】特許請求の範囲
【補正方法】変更
【補正の内容】
【特許請求の範囲】
【請求項１】
第１電極及び第２電極を含み前記第１電極と前記第２電極との間の電位差によって放電の形成／不形成を制御可能な放電セルを備えたプラズマディスプレイパネルの駆動方法であって、
第１電圧から第２電圧まで連続的に変化する電圧パルスを前記第１電極に印加するパルス印加工程を備え、
前記パルス印加工程は、
前記電圧パルスの第１領域を第１のパルス発生方式を用いて発生させて印加する第１工程と、
前記電圧パルスの前記第１領域とは別の第２領域を、前記第１のパルス発生方式とは別の第２のパルス発生方式を用いて発生させて印加する第２工程とを備えることを特徴とする、
プラズマディスプレイパネルの駆動方法。
【請求項２】
請求項１に記載のプラズマディスプレイパネルの駆動方法であって、
前記第１領域における電圧変化は前記第２領域よりも緩やかであることを特徴とする、
プラズマディスプレイパネルの駆動方法。
【請求項３】
請求項２に記載のプラズマディスプレイパネルの駆動方法であって、
前記第２工程の後に、前記第１工程を実施することを特徴とする、
プラズマディスプレイパネルの駆動方法。
【請求項４】
請求項１乃至３のいずれかに記載のプラズマディスプレイパネルの駆動方法であって、
前記パルス印加工程は、
前記第１のパルス発生方式とは別の第３のパルス発生方式を用いて、前記電圧パルスの前記第１領域及び前記第２領域とは別の第３領域を発生させて印加する第３工程を更に備え、
前記第３工程と前記第２工程との間に前記第１工程を実施することを特徴とする、
プラズマディスプレイパネルの駆動方法。
【請求項５】
請求項１乃至４のいずれかに記載のプラズマディスプレイパネルの駆動方法であって、
前記電圧パルスは、ＣＲ電圧パルス，傾斜電圧パルス及びＬＣ共振電圧パルスのいずれかの一部を含むことを特徴とする、
プラズマディスプレイパネルの駆動方法。
【請求項６】
請求項１乃至５のいずれかに記載のプラズマディスプレイパネルの駆動方法であって、
前記パルス印加工程において、前記プラズマディスプレイパネルの駆動時に生じる無効電力を利用して前記電圧パルスを発生させることを特徴とする、
プラズマディスプレイパネルの駆動方法。
【請求項７】
第１電極及び第２電極を含み前記第１電極と前記第２電極との間の電位差によって放電の形成／不形成を制御可能な放電セルを備えたプラズマディスプレイパネルの駆動方法であって、
第１電圧から第２電圧まで連続的に変化すると共に前記第２電圧に近づくに従って電圧変化がより急になる電圧パルスを、前記第１電極に印加することを特徴とする、
プラズマディスプレイパネルの駆動方法。
【請求項８】
（ａ）第１電極及び第２電極を含む放電セルを備えたプラズマディスプレイパネルと、（ｂ）前記第１電極と前記第２電極との間の電位差を与えて前記放電セルを駆動する駆動部とを備えたプラズマディスプレイ装置であって、
前記駆動部は、
第１のパルス発生方式及び第２のパルス発生方式を用いて電圧パルスを発生可能なパルス発生部を備え、
前記第１のパルス発生方式を用いて発生させる第１領域及び前記第２のパルス発生方式を用いて発生させる、前記第１領域とは別の第２領域を含んで第１電圧から第２電圧まで連続的に変化する前記電圧パルスを発生し、前記電圧パルスを前記第１電極への印加電圧として出力することを特徴とする、
プラズマディスプレイ装置。
【請求項９】
請求項８に記載のプラズマディスプレイ装置であって、
前記第１領域における電圧変化は前記第２領域よりも緩やかであることを特徴とする、
プラズマディスプレイ装置。
【請求項１０】
請求項９に記載のプラズマディスプレイ装置であって、
前記駆動部は、前記第２領域の前に、前記第１領域を発生させることを特徴とする、
プラズマディスプレイ装置。
【請求項１１】
請求項８乃至１０のいずれかに記載のプラズマディスプレイ装置であって、
前記パルス発生部は、前記第１のパルス発生方式とは別の第３のパルス発生方式を更に用いて前記電圧パルスを発生し、
前記駆動部は、前記第３のパルス発生方式を用いて発生させる前記第１領域及び前記第２領域とは異なる第３領域と前記第２領域との間に、前記第１領域を発生させることを特徴とする、
プラズマディスプレイ装置。
【請求項１２】
請求項８乃至１１のいずれかに記載のプラズマディスプレイ装置であって、
前記電圧パルスは、ＣＲ電圧パルス，傾斜電圧パルス及びＬＣ共振電圧パルスのいずれかの一部を含むことを特徴とする、
プラズマディスプレイ装置。
【請求項１３】
請求項８乃至１２のいずれかに記載のプラズマディスプレイ装置であって、
前記駆動部は、
電力回収部を備え、
前記電力回収部で回収された無効電力を利用して前記電圧パルスを発生させることを特徴とする、
プラズマディスプレイ装置。
【請求項１４】
（ａ）第１電極及び第２電極を含む放電セルを備えたプラズマディスプレイパネルと、（ｂ）前記第１電極と前記第２電極との間の電位差を与えて前記放電セルを駆動する駆動部とを備えたプラズマディスプレイ装置であって、
前記駆動部は、
第１電圧から第２電圧まで連続的に変化すると共に前記第２電圧に近づくに従って電圧変化がより急になる電圧パルスを発生し、前記電圧パルスを前記第１電極への印加電圧として出力することを特徴とする、
プラズマディスプレイ装置。
【請求項１５】
請求項８乃至１４のいずれかに記載の前記駆動部を備えることを特徴とする、
プラズマディスプレイパネル用駆動装置。
【請求項１６】
複数の放電セルを備えるプラズマディスプレイパネルのうち、
前記複数の放電セルの各々にリセット放電を生起させるリセットパルスを前記複数の放電セルの各々の電極間に印加するリセット期間を有し、
前記リセットパルスは、  
パルス電圧値が緩やかに推移して最小のリセット放電開始電圧値に到達し、当該リセット放電開始電圧値を超える第１印加期間に於ける第１パルス電圧推移部分と、
前記第１印加期間の後に引き続く第２印加期間に於ける、前記第１パルス電圧推移部分よりも前記パルス電圧値が急峻に推移する第２パルス電圧推移部分とから成ることを特徴とする、
プラズマディスプレイパネルの駆動方法。
【請求項１７】
第１電極及び第２電極を有し、前記第１電極と前記第２電極との間の電位差によって放電の形成／不形成を制御可能な放電セルを備えたプラズマディスプレイパネルに於いて、前記電位差として、なまり波形を用いる駆動方法であって、
前記なまり波形は２階微分を行うと不連続な点を持つことを特徴とする、
プラズマディスプレイパネルの駆動方法。
【請求項１８】
第１電極及び第２電極を有し、前記第１電極と前記第２電極との間の電位差によって放電の形成／不形成を制御可能な放電セルを備えたプラズマディスプレイパネルの駆動方法であって、
時定数の異なる複数のなまり波形を前記第１電極と前記第２電極との電極間に順次に印加することを特徴とする、
プラズマディスプレイパネルの駆動方法。
【請求項１９】
第１電極及び第２電極を有し、前記第１電極と前記第２電極との間の電位差によって放電の形成／不形成を制御可能な放電セルを備えたプラズマディスプレイパネルの駆動方法であって、
傾きの異なる複数のなまり波形を前記第１電極と前記第２電極との電極間に順次に印加することを特徴とする、
プラズマディスプレイパネルの駆動方法。
【請求項２０】
請求項１６乃至１９の何れかの駆動方法によって駆動されるプラズマディスプレイパネルを具備したことを特徴とする、
プラズマディスプレイ装置。